(57)【要約】【課題】単一のおりんを用いながらも、複数の音色を発現できるおりん及びその製造方法を提供する。【解決手段】おりん１０は椀形状をなしており、貴金属（金、銀、白金）又はこれらの少なくとも一つを含む合金からなる。おりん１０は、鋳造工程と鍛造工程とを経て製造される。おりん１０の内周面１１は略半球状であり、開口端１２の外周形状は八角形である。これにより、りん棒２１でおりん１０を叩く位置に応じて、音色を変えることができる。【選択図】図５
2019150384.tif 000002
【特許請求の範囲】
【請求項１】
椀形状を有するおりんであって、
その開口端内周が円形を有し、開口端外周が多角形状を有する、
ことを特徴とするおりん。
【請求項２】
前記おりんの内周面は球面である、
ことを特徴とする請求項１に記載のおりん。
【請求項３】
金、銀、白金又はこれら少なくとも１つを用いた合金からなる、
ことを特徴とする請求項１又は２に記載のおりん。
【請求項４】
請求項１〜３にいずれか一項に記載のおりんを製造する製造方法であって、
開口端内周が円形を有し、開口端外周が多角形状を有する椀形状の第１中間生成体を鋳造する工程と、
前記第１中間生成体を叩いて鍛造し、第２中間生成体を形成する工程と、を有する、
ことを特徴とするおりんの製造方法。
【請求項５】
前記第２中間生成体を研磨して、前記おりんを形成する工程を、有する、
ことを特徴とする請求項４に記載のおりんの製造方法。
【発明の詳細な説明】
【技術分野】
【０００１】
本発明は、仏具であるおりん及びその製造方法に関する。
【背景技術】
【０００２】
仏壇等におかれ、先祖や故人にお参りする際に鳴らされる仏具として、おりんが知られている。ところで、特に都市部における現代の住宅事情では、大型の仏壇を置くことが困難となっており、小型の仏壇を備える家庭も多くなってきた。これに合わせて、おりんもより小型化されたものが望まれている。一方で、高級感を求める需要に対し、１８金などの貴金属製のおりんも市販されている(特許文献1参照)。
【先行技術文献】
【特許文献】
【０００３】
【特許文献１】特許第３８５２７６８号公報
【発明の概要】
【発明が解決しようとする課題】
【０００４】
貴金属製のおりんは、従来から使用されることが多い真鍮製のおりんと比較すると、より柔らかい音色を出す傾向がある。しかるに、貴金属製のおりんの音色を好む使用者もいれば、従来の真鍮製のおりんの音色を好む使用者もいる。このように使用者の好みが多様化する中で、おりんを鳴らした際の音色を変えたいという要請がある。一方で、現在の住宅環境や経済性を考慮すると、音色が異なる複数のおりんを仏壇におくことは困難であることが多い。
【０００５】
そこで本発明の目的は、単一のおりんを用いながらも、複数の音色を発現できるおりん及びその製造方法を提供することにある。
【課題を解決するための手段】
【０００６】
上記目的を達成するために、本発明によるおりんは、椀形状を有するおりんであって、
その開口端内周が円形を有し、開口端外周が多角形状を有する、ことを特徴とする
【発明の効果】
【０００７】
本発明によれば、単一のおりんを用いながらも、複数の音色を発現できるおりん及びその製造方法を提供することができる。
【図面の簡単な説明】
【０００８】
【図１】図１（ａ）は、本実施形態にかかるおりんの上面図、図１（ｂ）は、本実施形態にかかるおりんの正面図、図１（ｃ）は、本実施形態にかかるおりんの底面図である。
【図２】図２は、おりんの鋳造工程を示す模式図である。
【図３】図３は、おりんの鍛造工程を示す模式図である。
【図４】図４は、おりんの鍛造工程を示す模式図である。
【図５】図５は、りん布団上に載置したおりんを示す斜視図である。
【発明を実施するための形態】
【０００９】
以下、図面を参照して本発明にかかる実施の形態を説明する。図１（ａ）は、本実施形態にかかるおりんの上面図、図１（ｂ）は、本実施形態にかかるおりんの正面図、図１（ｃ）は、本実施形態にかかるおりんの底面図である。
【００１０】
図において、おりん１０は椀形状をなしており、貴金属（金、銀、白金）又はこれらの少なくとも一つを含む合金からなる。より具体的には、おりん１０の内周面１１は略半球状をなしており、すなわち球面である。したがって、おりん１０の開口端１２の内周形状は円形である。内周面１１は、略半楕円球状であってもよい。
【００１１】
一方、開口端１２の外周形状は八角形である。したがって、開口端１２におけるおりん１０の肉厚は周方向の位置に応じて異なっており、八角形の角部１３で最も厚くなり、隣接する角部１３間の中央部１４で最も薄くなっている。ただし、角部１３は尖っている必要はなく、適度な丸みを帯びていてよい。
【００１２】
開口端１２から軸線に沿った距離に応じて、外周の八角形状は円形に漸次近づき、最終的におりん１０の底面１５は平坦な円形となっている。おりん１０の外周には、角部１３から下方に向かって延在し、底面１５の近傍で面に融合する８本の稜線１６が形成されている。つまり、開口端１２の近傍では稜線１６の間の外周面は略平面であるが、底面１５に近づくにつれて球面に近づくこととなる。ただし、稜線１６を底面１５と交差させるようにしてもよい。
【００１３】
図２〜４は、おりんを製造する工程を示す模式図である。ここでは、１８金合金によりおりん１０を製造するものとする。
【００１４】
（鋳造工程）
図２（ａ）に示すように、砂型ＳＭの内部におりんの外形状を作り、湯口ＡＰから溶融した地金（１８金合金）を流し込む。砂型ＳＭ内で地金が冷却した後、砂型ＳＭをばらして、図２（ｂ）に示すように第１中間生成体Ｍ１を取り出す。おりんの原型となる第１中間生成体Ｍ１の内周面は、おりん１０と同様に略半球形状をなし、その開口端外周は八角形状となっている。
【００１５】
従来の貴金属製のおりんの製造では、一枚の板材を叩いて椀形状に変形させるか、板材を回転させながら絞ることで椀形状としており、これでは開口端外周が八角形状のおりんを製造することができない。本実施の形態のように鋳造工程を経ることで、開口端外周が八角形状のおりんを精度よく製造できる。
【００１６】
砂型ＳＭから第１中間生成体Ｍ１を取り出した後、図２（ｃ）に示すように、湯口ＡＰに対応した余剰部ＳＰを切断する。この時点で、おりんとしての最終形状を備えている。ただし、鋳造により形成された第１中間生成体Ｍ１は比較的柔らかく、金属組織が粗の状態にあり、これを叩いても良い音色は出ない。
【００１７】
（鍛造工程）
そこで、よい音色のおりんを製造するために、第１中間生成体Ｍ１の金属組織を密にして、より硬くする鍛造工程が必要となる。ここでは、図３、４に示すような鋼性の鍛金治具ＢＬ，ＪＧを２種類準備する。図３の鍛金治具ＢＬは球体であって、木製の正六面体状のホルダＨＤ上の凹部に載置して用いる。一方、図４の鍛金治具ＪＧは、円筒部ＪＧ１と、円筒部ＪＧ１の先端に接合された球部ＪＧ２とを有する。
【００１８】
図３に示すように、開口端を下に向けた第１中間生成体Ｍ１を、鍛金治具ＢＬにかぶせるように据え付けて、その外周面（特に平坦な面）をハンマーＨＭで繰り返し叩き、第１中間生成体Ｍ１の内周面を均等な球形状とする。このとき、鋳造で形成された外周の角部１３（図１）を含む稜線１６（図１）をつぶさないようにする。
【００１９】
続いて、鍛金治具ＢＬから第１中間生成体Ｍ１を取り外し、図４に示すように開口端を上方に向けて、テーブルＴＢ上の凹部に載置し、その内周面に鍛金治具ＪＧの球部ＪＧ２を当て、円筒部ＪＧ１の上端をハンマーＨＭで繰り返し叩く。また、球部ＪＧ２の位置を変えて、円筒部ＪＧ１の上端をハンマーＨＭで繰り返し叩く。このときも、鋳造で形成された外周の角部１３（図１）を含む稜線１６（図１）をつぶさないようにする。小領域などを鍛造する際は、駆動端が細い電動ハンマーを、ハンマーＨＭの代わりに用いてもよい。
【００２０】
この作業を、第１中間生成体Ｍ１の内周面全体に対して行う。これにより鋳造工程で形成された巣も埋められ、金属組織が密になり、より硬くなった第２中間生成体Ｍ２により、おりん１０が得られる。この際に、叩き跡である鍛金目が第２中間生成体Ｍ２の内周面に残ることもある。かかる場合、鍛金目は模様として残してもよいが、光沢面または鏡面としたい場合、更には音色の微調整を行いたい場合、続けて第２中間生成体Ｍ２に以下の付加的工程を行うことができる。
【００２１】
（前仕上げ工程）
得られた第２中間生成体Ｍ２の表面にやすり掛けすることで、鍛造工程で形成された鍛金目を消去して、滑らかな表面にする。
【００２２】
（焼きなまし及び冷却工程）
更に、第２中間生成体Ｍ２を電気炉（不図示）内に配置し、所定の焼きなまし温度と、冷却温度との間で炉内温度を繰り返し上下させる。これにより、おりん１０の組織の硬さが変わり、音色の微調整ができる。
【００２３】
（最終仕上げ工程）
その後、第２中間生成体Ｍ２の表面を、磨き工具（不図示）を用いて、１８金の光沢が出るように磨き込む。以上で、光沢面または鏡面を有し、音色が微調整されたおりん１０を得ることができる。なお、以上の付加的工程の少なくとも1つを選択して行うこともできる。
【００２４】
図５は、りん布団上に載置したおりんを示す斜視図である。図５において、りん布団２０上に、おりん１０が置かれている。平坦な底面１５（図１）を有するため、おりん１０を安定した状態で載置できる。おりん１０を叩くために用いるりん棒２１は、一般的な公知のものでよく、一例として図５のようなものを用いることができる。具体的に、りん棒２１は、棒状部材２１ｂの先端に球形部材２１ａを取り付けたものである。棒状部材２１ｂを手の指で把持した使用者が、球形部材２１ａをおりん１０に当てることで、チーンと音が鳴る。
【００２５】
本実施の形態によるおりん１０は、たたく位置によって音色が変わる。図５に一点鎖線で示すように、球形部材２１ａで開口端１２の中央部１４（最も肉厚が薄い部位）を叩くと、比較的柔らかい音色がする。一方、図５に実線で示すように、球形部材２１ａで開口端１２の角部１３（最も肉厚が厚い部位）を叩くと、比較的固い音色がする。したがって、使用者の好みに応じて、開口端１２の叩く位置を変えることで、好みの音色を出すことができる。また、角部１３の肉厚と中央部１４の肉厚を変えることで、音色を調整することもできる。
【００２６】
一方、おりん１０の開口端１２近傍と、開口端１２と底面１５との間の中程度の高さ位置とでは、叩くことによって得られる音色の違いはほとんどない。これに対し、内周面及び外周面が半球形状である従来のおりんでは、開口端近傍を叩いた際の音色に対し、中程度の高さ位置を叩いた際の音色が鈍ってしまうことから、本実施形態に固有の形状による効果がある。
【００２７】
なお、おりん１０の内周面を半球形状としたのは、叩いた際に反響効果によって長い余韻を確保するためである。また、おりん１０の開口端１２の外周を八角形状とすることで、周囲の物体像を稜線１６の間の面で反射させることができるから、映り込みが美しく美観に優れる。
【００２８】
本発明は上記実施形態に限定されるものではなく、種々の改変を施すことができる。たとえば、本発明にかかるおりんの開口端の外周は八角形に限られず、多角形であればよいし、あるいは長径と短径の長さが異なる楕円形状であってもよい。
【００２９】
また、おりんの素材は貴金属であると好ましいが、それに限られない。ただし、素材が高価であると、経済性の観点からおりんの肉厚が薄くなりがちであり、それにより音色が悪化する傾向がある。したがって、特に貴金属を用いておりんを形成した際に、音色をチューニングできるという点で本発明の効果が発揮される。
【符号の説明】
【００３０】
１０  おりん
１１  内周面
１２  開口端
１３  角部
１４  中央部
１５  底面
１６  稜線
【図１】
2019150384.tif 000003
【図２】
2019150384.tif 000004
【図３】
2019150384.tif 000005
【図４】
2019150384.tif 000006
【図５】
2019150384.tif 000007